(57)【特許請求の範囲】
【請求項１】
遊技機を遊技機島に固定するための遊技機用取付装置であって、
上記遊技機の上縁を保持するための部材であって、上記遊技機の上辺に沿って左右方向に延びる板状の上保持部材と、
上記遊技機の下縁を保持するための部材であって、上記遊技機の下辺に沿って左右方向に延びる板状の下保持部材と、
上記上保持部材および上記下保持部材の左端部同士を連結する左連結部材と、
上記上保持部材および上記下保持部材の右端部同士を連結する右連結部材とを含み、
上記上保持部材には、上記遊技機の上縁を所定の回動軸まわりに回動可能に支持する上支持部が設けられ、
上記下保持部材には、上記遊技機の下縁を上記回動軸と同軸まわりに回動可能に支持する下支持部が設けられ、
上記上および下保持部材ならびに上記左および右連結部材によって構成される組立体が、所期の姿勢に維持されており、
上記各連結部材は、上記上保持部材と上記下保持部材との間の上下方向の間隔を変化できるように伸縮可能であり、
上記各連結部材は、第１取付構造を用いて上記上保持部材に取り外し可能に連結されているとともに、第２取付構造を用いて上記下保持部材に取り外し可能に連結されていることを特徴とする遊技機用取付装置。
【請求項２】
各連結部材は、上下方向に延びる主板と、主板の左右側辺から後方に突出する２枚の側板とを備え、
上記第１取付構造は、
各側板の後端辺の上端部に形成され、上記上保持部材の厚みと同じ上下幅で前方側に延びる第１切り込み溝と、
上記上保持部材に上記第１切り込み溝が嵌合している状態の上記各連結部材の上端部と係合して、上記各連結部材の上記上保持部材に対する前後方向の移動を規制する第１係止片とを含む、請求項１記載の遊技機用取付装置。
【請求項３】
各連結部材は、上下方向に延びる主板と、主板の左右側辺から後方に突出する２枚の側板とを備え、
上記第２取付構造は、
各側板の後端辺の下端部に形成され、上記下保持部材の厚みと同じ上下幅で前方側に延びる第２切り込み溝と、
上記下保持部材に上記第２切り込み溝が嵌合している状態の上記各連結部材の下端部と係合して、上記各連結部材の上記下保持部材に対する前後方向の移動を規制する第２係止片とを含む、請求項１または２記載の遊技機用取付装置。
【請求項４】
各連結部材は、上下に一直線上に連結された第１連結部材と第２連結部材とを含み、
上記第１および第２連結部材は、当該第１および第２連結部材の一方の少なくとも一部が、当該第１および第２連結部材の他方の内部に収納可能に設けられていることを特徴とする請求項１〜３のいずれか一項に記載の遊技機用取付装置。
【請求項５】
上記上保持部材は、遊技機の盤面が鉛直方向に対して後方に所定角度だけ傾倒するように遊技機の上縁を保持する傾斜面を有し、上記下保持部材は、遊技機の盤面が鉛直方向に対して後方に上記所定角度だけ傾倒するように遊技機の下縁を保持する傾斜面を有することを特徴とする請求項１〜４のいずれかに記載の遊技機用取付装置。
【発明の詳細な説明】
【０００１】
【発明の属する技術分野および発明が解決しようとする課題】
本発明は、パチンコ機などの遊技機を遊技機島に取り付けるための遊技機用取付装置に関する。
【０００２】
【従来の技術】
パチンコ機は、横方向に所定長さだけ延びる遊技機島に複数並べて設置される。従来、パチンコ機を遊技機島に設置する場合、遊技機島に設けられた各取付スペース内にパチンコ機を嵌め込んで、釘などにより固定していた。
しかしながら、パチンコ機を釘により遊技機島に取り付けるのには手間がかかるという問題があった。そこで、実開平５−９５８６号に開示されているように、取付スペース内に嵌め込んだ略矩形状の取付枠にパチンコ機を嵌め込む取付構造が提案されている。パチンコ機は、手前側から後方にスライドされることにより、取付枠に取り付けられる。
【０００３】
この取付構造の場合、パチンコ機を取り付ける取付枠の分だけ取付スペースが余分に必要となり、遊技機島に設置可能なパチンコ機の台数が少なくなってしまうという問題があった。
また、パチンコ機には、台間機が対応付けられて隣設されていることが多い。
その場合、遊技機島内（パチンコ機の背面側）には、各台間機から貨幣を搬送し、遊技機島の端部に設けられた貨幣保管部に搬送するための貨幣搬送装置が設けられている。
【０００４】
このため、貨幣搬送装置などのメンテナンスを行う際に、わざわざパチンコ機を取り外さなければならず面倒であった。
本発明は、かかる背景のもとでなされたもので、遊技機島への遊技機の取り付けが容易な遊技機用取付構造を提供することを目的とする。
また、遊技機の取付スペースを有効利用できる遊技機用取付装置を提供することを目的とする。
【０００５】
さらに、遊技機島内に配置された紙幣搬送装置などのメンテナンスが容易な遊技機用取付装置を提供することを目的とする。
【０００６】
【課題を解決するための手段および発明の効果】
上記目的を達成するための請求項１記載の発明は、遊技機を遊技機島に固定するための遊技機用取付装置であって、上記遊技機の上縁を保持するための部材であって、上記遊技機の上辺に沿って左右方向に延びる板状の上保持部材と、上記遊技機の下縁を保持するための部材であって、上記遊技機の下辺に沿って左右方向に延びる板状の下保持部材と、上記上保持部材および上記下保持部材の左端部同士を連結する左連結部材と、上記上保持部材および上記下保持部材の右端部同士を連結する右連結部材とを含み、上記上保持部材には、上記遊技機の上縁を所定の回動軸まわりに回動可能に支持する上支持部が設けられ、上記下保持部材には、上記遊技機の下縁を上記回動軸と同軸まわりに回動可能に支持する下支持部が設けられ、上記上および下保持部材ならびに上記左および右連結部材によって構成される組立体が、所期の姿勢に維持されており、上記各連結部材は、上記上保持部材と上記下保持部材との間の上下方向の間隔を変化できるように伸縮可能であり、上記各連結部材は、第１取付構造を用いて上記上保持部材に取り外し可能に連結されているとともに、第２取付構造を用いて上記下保持部材に取り外し可能に連結されていることを特徴とする遊技機用取付装置である。
【０００７】
遊技機島は、横方向に長手であって、所定の間隔を空けて配置された上段と下段とを含む。上段と下段との間には、複数の遊技機が横方向に並べて配設される。
上段の下面には、各遊技機に対応して、遊技機の上縁を保持するための上保持部材が固定される。一方、下段の上面には、各遊技機に対応して、遊技機の下縁を保持するための下保持部材が固定される。遊技機は何れの機種も同じ高さ寸法で形成されており、その高さ寸法は、上保持部材の下面と下保持部材の上面との距離に略一致する。つまり、遊技機島には、何れの機種の遊技機でも取り付けることができる。
【０００８】
本発明の構成によれば、上保持部材および下保持部材が連結部材により連結されているので、下保持部材を下段に位置決めすることにより上保持部材も容易に位置決めできる。したがって、作業工数を削減することができ、遊技機を遊技機島に容易に取り付けることができる。
また、上および下保持部材が遊技機を回動可能に保持するので、遊技機を回動させることにより、遊技機をわざわざ取り外さなくても、遊技機島内に配置された紙幣搬送装置などのメンテナンスを容易に行うことができる。
また、下保持部材を下段に固定し、上保持部材を上段に固定した後、連結部材を取り外すことができるので、遊技機取付スペースを有効利用できる。
また、各連結部材が伸縮可能であるので、連結部材を縮めた状態で下保持部材を下段に位置決めして固定した後、連結部材を伸ばして上保持部材を上段に固定することができる。したがって、上および下保持部材を遊技機島に容易に固定することができる。
請求項２に記載のように、各連結部材は、上下方向に延びる主板と、主板の左右側辺から後方に突出する２枚の側板とを備え、上記第１取付構造は、各側板の後端辺の上端部に形成され、上記上保持部材の厚みと同じ上下幅で前方側に延びる第１切り込み溝と、上記上保持部材に上記第１切り込み溝が嵌合している状態の上記各連結部材の上端部と係合して、上記各連結部材の上記上保持部材に対する前後方向の移動を規制する第１係止片とを含んでいてもよい。
また、請求項３に記載のように、各連結部材は、上下方向に延びる主板と、主板の左右側辺から後方に突出する２枚の側板とを備え、上記第２取付構造は、各側板の後端辺の下端部に形成され、上記下保持部材の厚みと同じ上下幅で前方側に延びる第２切り込み溝と、上記下保持部材に上記第２切り込み溝が嵌合している状態の上記各連結部材の下端部と係合して、上記各連結部材の上記下保持部材に対する前後方向の移動を規制する第２係止片とを含んでいてもよい。
【００１０】
また、請求項４に記載のように、各連結部材は、上下に一直線上に連結された第１連結部材と第２連結部材とを含み、上記第１および第２連結部材は、当該第１および第２連結部材の一方の少なくとも一部が、当該第１および第２連結部材の他方の内部に収納可能に設けられていてもよい。
請求項５記載の発明は、上記上保持部材は、遊技機の盤面が鉛直方向に対して後方に所定角度だけ傾倒するように遊技機の上縁を保持する傾斜面を有し、上記下保持部材は、遊技機の盤面が鉛直方向に対して後方に上記所定角度だけ傾倒するように遊技機の下縁を保持する傾斜面を有することを特徴とする請求項１〜４のいずれかに記載の遊技機用取付装置である。
【００１１】
この構成によれば、遊技機の盤面を鉛直方向に対して後方に所定角度（例えば１°）傾けることにより、遊技盤に向けて発射された遊技球が遊技盤に接触しつつ落下させることができる。
また、遊技機を１対の保持部材に取り付けるだけで遊技機の盤面が鉛直方向に対して所定角度傾倒するので、傾斜角度を調整する必要がなく、遊技機の取り付け作業が容易である。
【００１３】
【発明の実施の形態】
以下には、図面を参照して、本発明の実施形態に係るパチンコ機１について具体的に説明する。
本発明の一実施形態としてパチンコ機について説明するが、本発明はパチンコ機に限らず、アレンジボール機などの遊技機にも適用することができる。
図１は、本発明の一実施形態に係るパチンコ機１を遊技機島６１に取り付けた状態を示す概略正面図である。遊技機島６１は、左右方向に長手であって、所定の間隔を空けて配置された上段６２と下段６３とを含む。上段６２と下段６３とは、例えば長い木材板で作られており、その間には複数のパチンコ機１が左右方向に並べて配設されている。
【００１４】
上段６２の下面６２ａには、各パチンコ機１に対応して、パチンコ機１の上縁１ａを保持するための上保持部材２２が固定されている。一方、下段６３の上面６３ａには、各パチンコ機１に対応して、パチンコ機１の下縁１ｂを保持するための下保持部材２３が固定されている。パチンコ機は何れの機種も同じ高さ寸法で形成されており、その高さ寸法は、上保持部材２２の下面と下保持部材２３の上面６３ａとの距離に略一致する。つまり、遊技機島６４には、何れの機種のパチンコ機でも取り付けることができる。
【００１５】
各パチンコ機１の間には、台間機６４が配設されている。各台間機６４は、その右側に隣設されたパチンコ機１に対応付けられている。図２は、パチンコ機１を遊技機島６１から取り外した状態を示す分解斜視図である。遊技機島６１の上段６２および下段６３に取り付けられた各保持部材２２、２３の間には、取付スペースＳが形成されている。上保持部材２２の左端部には、パチンコ機１の上縁１ａの左端部から上方に突出した回動軸１２を嵌め込むための取付溝２４が形成されている。また、上保持部材２２には、取付溝２４に嵌め入れられた回動軸１２が取付溝２４から外れないようにするためのヒンジ（上支持部）２５が取り付けられている。
【００１６】
下保持部材２３の左端部には、パチンコ機１の下縁１ｂの左端部に形成された取付孔２８に挿通するための回動軸（下支持部）２６が上方に突設されている。パチンコ機１を遊技機島６１に取り付ける場合、取付孔２８に下保持部材２３の回動軸２６を挿通した後、パチンコ機１をその下縁１ｂを中心に後方に回動させ、回動軸１２を上保持部材２２の取付溝２４に嵌め入れることにより、パチンコ機１が各保持部材２２、２３に回動自在に取り付けられる。
【００１７】
取付スペースＳの左側には、台間機６４が隣設されている。本実施形態のパチンコ機１は例えばＣＲ機であり、台間機６４はＣＲ機用のものである。金銭と等価な有価価値データが記録された遊技カードをカード挿入／排出口６６に挿入して貸出ボタン６７を押操作すると、台間機６４からパチンコ機１に遊技球の貸し出しを指令する信号が与えられる。この信号を受けたパチンコ機１は、パチンコ機１内に設けられた貸球払出装置（図示せず）から所定数の遊技球を払い出す。
【００１８】
台間機６４では、貨幣投入口６５に貨幣を投入することにより、遊技カードを購入することができるようになっている。貨幣投入口６５に貨幣（例えば１０００円）を投入すると、その金額に相当する有価価値データが記録された遊技カードがカード挿入／排出口６６から排出される。その遊技カードを再びカード挿入／排出口６６に挿入して貸出ボタン６７を押操作することにより、パチンコ機１内に設けられた貸出払出装置（図示せず）から所定数の遊技球が払い出される。
【００１９】
貨幣投入口６５から投入された貨幣は一旦台間機６４内に保管されるが、保管できる貨幣には限りがある。そこで、台間機６４には、投入された貨幣を例えば遊技機島６１の一方の端部に設けられた貨幣保管部（図示せず）に搬送するための貨幣搬送装置６８が接続されている。この貨幣搬送装置６８は、遊技機島６１の中、つまりパチンコ機１を遊技機島６１に取り付けた状態でパチンコ機１の背面側を延びる。
【００２０】
本実施形態では、パチンコ機１を回動させることにより、パチンコ機１をわざわざ取り外さなくても、遊技機島６１内に配置された紙幣搬送装置６８などのメンテナンスを容易に行うことができる。
図３は、保持部材２２、２３を遊技機島６１に固定する手順を説明するための図である。保持部材２２、２３は、遊技機島６１に固定する際、それぞれの両端を連結部材２９により取り外し可能に連結される。各連結部材２９は、上下方向に長手の部材であって、各保持部材２２、２３の相互の位置関係を、パチンコ機１の上縁１ａおよび下縁１ｂを保持する位置関係にすることができるように、上下方向に伸縮可能となっている。各保持部材２２、２３および各連結部材２９は、一連の遊技機用取付装置をなす。
【００２１】
各保持部材２２、２３を遊技機島６１に固定する際、まず、各保持部材２２、２３を連結部材２９により連結し、連結部材２９を最も縮めた状態にしておく。そして、図３（ａ）に示すように、下保持部材２３を遊技機島６１の下段６３の上面６３ａに載置して位置決めを行い、各挿通孔３０を通して図示しない釘を下段６３に打ち込むことにより、下保持部材２３を下段６３に固定する。
次に、図３（ｂ）に示すように、各連結部材２９を伸ばして上保持部材２２の上面を遊技機島６１の上段６２の下面６２ａに当接させる。そして、各挿通孔３０を通して図示しない釘を上段６２に打ち込むことにより、上保持部材２２を上段６２に固定する。
【００２２】
各保持部材２２、２３が連結部材２９により連結されているので、下保持部材２３を位置決めすることにより上保持部材２２も容易に位置決めできる。したがって、作業工数を削減することができ、パチンコ機１を遊技機島６１に容易に取り付けることができる。
また、各連結部材２９を縮めた状態で下保持部材２３を下段６３に位置決めして固定した後、各連結部材２９を伸ばして上保持部材２２を上段６２に固定することができるので、各保持部材２２、２３を遊技機島６１に容易に固定することができる。
【００２３】
各保持部材２２、２３の固定が完了した後、図３（ｃ）に示すように、連結部材２９を各保持部材２２、２３から取り外すと、各保持部材２２、２３の間に取付スペースＳが形成される。保持部材２２、２３を上段６２および下段６３に固定した後、連結部材２９を取り外すことができるので、取付スペースＳを有効利用できる。
図４は、連結部材２９の上端部の構成を示す斜視図である。連結部材２９は、板材を断面略コ字形に折り曲げた形状であって、１枚の主板３１と、主板３１の両側辺から同方向に突出した２枚の側板３２とを有している。
【００２４】
主板３１の上端部には、略矩形状の開口３３が形成されている。各側板３２の先端辺３２ａの上端部には、それぞれ他端辺３２ｂ側に所定長さだけ延びる切り込み溝（第１切り込み溝、第２切り込み溝）３４が形成されている。図４では、連通部材２９の上端部のみの構成を示しているが、下端部も上端部と同様の構成を有している。図５は、上保持部材２２の構成を示す分解斜視図である。上保持部材２２は、上面３５ａが遊技機島６１の上段６２の下面６２ａに当接される上板３５と、上板３５に下方から取り付けられ、その下面３６ａがパチンコ機１の上縁に対向する下板３６とを含む。上板３５は例えば樹脂材料により形成されていて、下板３６は例えば金属により形成されている。
【００２５】
下板３６の上面３６ｂの左端部手前側には、略Ｌ字形のヒンジ２５がねじ３８により取り付けられる。ねじ３８の軸部３９は、ヒンジ２５の中央部に形成された挿通孔４０に挿通されてヒンジ２５を回動自在に保持するための挿通部３９ａと、下板３６の左端部の手前側に形成されたねじ孔４１にねじ込まれるねじ部３９ｂとからなる。
ヒンジ２５の一端部には、取付溝２４に嵌め入れられたパチンコ機１の回動軸１２を取付溝２４から外れないように係止するための係止溝４２が形成されている。ヒンジ２５の他端部には、操作部４３が折り曲げられて形成されている。操作部４３を操作することにより、回動軸を係止する位置と開放する位置との間でヒンジ２５を回動させることができる。ヒンジ２５と下板３６との間には、ねじりコイルばね４４が介装され、ヒンジ２５は待機状態で係止位置になるように付勢される。
【００２６】
下板３６の左端部には、連結部材２９を上保持部材２２に取り付ける際に連結部材２９の上端部を挿通するための略矩形状の第１開口４５と、第１開口４５に連設され、ヒンジ２５の操作部４３を挿通するための第２開口４６とが形成されている。第１開口４５の左右の幅は、連結部材２９の左右の幅に略一致する。
第１開口４５の後縁辺４５ａからは、連結部材２９の開口３３に係合するための係合片４７が手前側に突出している。係合片４７は、中央近傍から下方に折り曲げられて形成された中間片４８と、先端近傍が手前側に折り曲げられて形成された先端片４９とを含む。
【００２７】
第２開口４６はねじ孔４１を中心とする略扇形に形成されており、第２開口４６に挿通された操作部４３を下板３６の下側から操作して、ヒンジ２５を所定量だけ回動させることができるようになっている。
下板３６の外周縁は上方に折り曲げられており、第２開口４５の後縁辺４５ａから下板３６の後端の折曲片５０の前面５０ａまでの距離は、連結部材２９の切り込み溝３４の長さに略一致する。
【００２８】
上板３５の左端部には、略矩形状の第３開口５１が形成されている。第３開口５１の前縁辺５１ａからは、連結部材２９を上保持部材２２に取り付けたときに、その主板３１を係止するための係止片（第１係止片、第２係止片）５２が後方側に突出している。上板３５は樹脂材料により形成されているので若干の弾性を有し、係止片５２は上下方向に微小量だけ回動可能になっている。図５では、上保持部材２２の左端部の構成のみ説明したが、ヒンジ２５、第２開口４６および取付溝２４などを除き、連結部材２９の取付構造については上保持部材２２の右端部および下保持部材２３の両端部も同様の取付構造を有している。
【００２９】
図６は、連結部材２９と保持部材２２、２３との取付態様を説明するための一部断側面図である。連結部材２９は、上下に一直線上に連結された第１連結部材５３および第２連結部材５４からなる。
第２連結部材５４の上端部には段部５５が形成されており、第２連結部材５４の段部５５より上側は、第１連結部材５３の下端部の内側に嵌め込んで摺動させるための摺動部５６をなしている。摺動部５６の各側板３２１の略中央には、上下方向に延びる長孔５７が形成されている。
【００３０】
第１連結部材５３の各側板３２の下端部には、長孔５７に対応して内側に窪められた凹部５８が形成されている。凹部５８の裏側は突起をなしており、長孔５７の一端５７ａと他端５７ｂとの間で変位可能となっている。この構成により、連結部材２９は長孔５７の長さ分だけ伸縮可能となっている。図６では、連結部材２９を最も伸ばした状態を示している。
図４〜６を参照して、連結部材２９を上保持部材２２に取り付ける態様について説明する。ただし、連結部材２９を下保持部材２３に取り付ける態様は、上保持部材２２に取り付ける態様と同様であるので、その説明を省略する。
【００３１】
まず、連結部材２９の上端部を第１開口４５に挿通し、両切り込み溝３４を第１開口４５の後縁辺４５ａに嵌め込む。連結部材２９を後側にスライドさせることにより、第１開口４５の後縁辺４５ａが両切り込み溝３４に食い込むと共に、主板３１の上端辺３１ａが係止片５２を上方に押し上げる。
連結部材２９をさらに後方にスライドさせると、係合片４７が先端から主板３１の開口３３に挿通される。先端片４９の上面４９ａは主板３１の開口３３の上縁辺３３ａに当接して摺動される。
【００３２】
連結部材２９をさらに後方にスライドさせ、各切り込み溝３４の溝端３４ａが第１開口４５の後縁辺４５ａに当接すると、各側板３２の先端辺３２ａが下板３６の後端の折曲片５０の前面５０ａに当接すると共に、主板３１の後面３１ｂが中間片４８の前面に当接する。これと同時に、主板３１の上端辺３１ａが係止片５２から外れ、係止片５２が形状復元することにより、係止片５２の先端辺５２ａが主板３１の前面３１ｃの先端部を係止し、上保持部材２２に対する連結部材２９の取り付けが完了する。
【００３３】
次に、連結部材２９を上保持部材２２から取り外す態様について説明する。ただし、連結部材２９を下保持部材２３から取り外す態様は、上保持部材２２から取り外す態様と同様であるので、その説明を省略する。
まず、係止片５２を下方から上方に押し上げることにより、係止片５２の先端辺５２ａを主板３１の前面３１ｃの先端部から外す。そして、連結部材２９を手前側にスライドさせることにより、切り込み溝３４が第１開口４５の後縁辺４５ａから外れ、連結部材２９が上保持部材２２から取り外される。
【００３４】
上保持部材２２の下板３６の下面３６ａは、上板３５の上面３５ａに対して後方にいくにつれて低くなるように傾斜しており、その傾斜角度θは例えば約１°である。下保持部材２３の上板５９の上面５９ａは、下板６０の下面６０ａに対して後方にいくにつれて低くなるように傾斜しており、その傾斜角度θは例えば約１°である。したがって、パチンコ機１の盤面は、各保持部材２２、２３に取り付けると鉛直方向に対して約１°だけ後方に傾倒する。これにより、遊技盤に向けて発射された遊技球は遊技盤に接触しつつ落下させることができる。また、パチンコ機１を各保持部材２２、２３に取り付けるだけでパチンコ機１の盤面が所定角度傾倒するので、傾斜角度を調整する必要がなく、パチンコ機１の取り付け作業が容易である。
【００３５】
傾斜角度θは、上板３５の上面３５ａおよび下板６０の下面６０ａを傾斜面で形成することにより構成されていてもよいし、上板３５および下板６０を傾斜させることにより構成されていてもよい。
本発明は、以上の実施形態の内容に限定されるものではなく、請求項記載の範囲内において種々の変更が可能である。例えば、パチンコ機１は、ＣＲ機に限らず現金機であってもよい。
【００３６】
各保持部材２２、２３は、パチンコ機１を回動可能に保持するものに限らず、例えば前後方向にスライド可能に保持するものなどであってもよい。
また、各保持部材２２、２３と連結部材２９との取付構造は、上述の構造に限らず、取り外し可能な構造であれば他の構造であってもよい。
【図面の簡単な説明】
【図１】本発明の一実施形態に係るパチンコ機を遊技機島に取り付けた状態を示す概略正面図である。
【図２】パチンコ機を遊技機島から取り外した状態を示す分解斜視図である。
【図３】保持部材を遊技機島に固定する手順を説明するための図である。
【図４】連結部材の上端部の構成を示す斜視図である。
【図５】上保持部材の構成を示す分解斜視図である。
【図６】連結部材と保持部材との取付態様を説明するための一部断側面図である。
【符号の説明】
１      パチンコ機
１ａ    上縁
１ｂ    下縁
２２    上保持部材
２３    下保持部材
２９    連結部材
３６ａ  下面
５９ａ  上面
６１    遊技機島
θ      傾斜角度
Ｓ      取付スペース
【図１】
0004629221.tif 000002
【図２】
0004629221.tif 000003
【図３】
0004629221.tif 000004
【図４】
0004629221.tif 000005
【図５】
0004629221.tif 000006
【図６】
0004629221.tif 000007